【手続補正書】
【提出日】平成15年3月27日(2003.3.27)
【手続補正１】
【補正対象書類名】明細書
【補正対象項目名】特許請求の範囲
【補正方法】変更
【補正の内容】
【特許請求の範囲】
【請求項１】
電子メッセージの配達及び内容を文書化する方法において、
メッセージ送信者から電子メッセージを受信し、該電子メッセージは、それに関連した少なくとも１つの指定の電子配達アドレスを有し、
上記電子メッセージを上記指定のアドレスに送信し、
上記指定のアドレスへの上記電子メッセージの配達に関する電子的な配達状態通知情報を受信し、
少なくとも上記メッセージに対応するメッセージ認証コードを計算し、
上記メッセージの少なくとも一部分のコピー、電子的配達状態通知情報、及びメッセージ認証コードを組み立て、該組み立ては、電子受領書を形成し、そして
上記受領書を記憶手段へ送信する、
という段階を備えた方法。
【請求項２】
記憶手段へ受領書を送信する上記段階は、メッセージ送信者へ受領書を送信することを含み、
送信者へ電子受領書を送信した後にオリジナルメッセージを破棄し、
受領書とされているもの及びそれに関連したメッセージとされているものの認証コードを受信し、そして
上記メッセージとされているものの認証コードがメッセージに関連するかどうかの判断を行うという段階を含む請求項１に記載の方法。
【請求項３】
認証コードを計算する上記段階は、
上記メッセージの少なくとも本体に対応する第１メッセージダイジェストを計算し、
上記メッセージへの付属物に対応する第２メッセージダイジェストを計算し、
上記第１及び第２のメッセージダイジェストに対応する全メッセージダイジェストを計算し、そして
上記全メッセージダイジェストを暗号化してデジタル指紋を形成する、
という段階を含む請求項１に記載の方法。
【請求項４】
メッセージ認証コードの計算は、
少なくともメッセージ及び電子的配達状態通知情報に対応する機密ヘッディングアルゴリズムであるメッセージダイジェストを計算することを含む請求項１ないし３のいずれかに記載の方法。
【請求項５】
電子メッセージの配達及び内容に関する証拠を与える方法において、
送信者からコンピュータネットワークを横切って電子メッセージを受け取り、このメッセージは、それに関連した配達アドレスを有し、
上記配達アドレスに対応する行先に上記メッセージを電子的に送信し、
上記メッセージ及び上記配達アドレスに関連した配達状態通知情報を受信し、
上記送信者に電子受領書を与え、この電子受領書は、
上記メッセージの実質的なコピーと、
上記配達状態通知情報と、
上記メッセージコピー及び上記配達状態通知情報から実質的に計算されたメッセージダイジェストと、
を含み、更に、
将来の期日に、上記送信者から上記電子受領書を電子的に受信し、
上記メッセージダイジェストが上記メッセージに対応すること、及び上記メッセージが、上記配達アドレスに関連した電子メッセージハンドラーにより受信されたことを検証し、そして
上記メッセージを、そのメッセージに関連した付加的な配達アドレスに対応する複数の付加的な行先へ送信する、
という段階を備えた方法。
【請求項６】
上記メッセージ及び上記付加的な配達アドレスに関連した付加的な配達状態通知情報を受信し、
送信者に配達検証メッセージを送信し、この配達検証メッセージは、
全ての上記アドレスのリストと、
全ての上記アドレスに各々対応する上記配達状態通知情報と、
を含み、この配達状態通知情報は、各受信人に対して、配達が首尾よく行われたかどうかと、配達が首尾よく行われた場合には配達が行われた日付及び時刻とのリストを含む請求項５に記載の方法。
【請求項７】
電子メッセージの配達を検証する方法において、
コンピュータシステム内で、行先アドレスへルーティングするためにメッセージ送信者から電子メッセージを受信し、
上記行先アドレスに関連した電子メッセージサーバーとの通信を確立し、このサーバーは、行先サーバーを形成し、
上記行先サーバーに質問して、上記該行先サーバーが配達状態通知（ＤＳＮ）機能をサポートするかどうか決定し、
その質問に対する応答を受信し、その質問及び応答は一緒にＳＭＴＰダイアログを形成し、
上記ＳＭＴＰダイアログの結果に基づいて上記行先サーバーから配達状態通知情報を要求し、
上記電子メッセージを上記行先アドレスへ送信し、
上記電子メッセージの配達に対して上記行先サーバーからＤＳＮ情報を受信し、そして
上記ＳＭＴＰダイアログの少なくとも一部分及び上記ＤＳＮ情報の少なくとも一部分を上記メッセージ送信者に供給する、
という段階を備えた方法。
【請求項８】
電子メッセージが送信されたことを検証する方法において、
メッセージ発信者から受け取った情報から受信者のための電子メッセージを発生し、
受信者へ電子メッセージを送信し、
電子メッセージの内容に対応するメッセージダイジェストを発生し、
そのメッセージダイジェストを暗号化し、そして
上記電子メッセージ及び暗号化されたダイジェストをメッセージ発信者に送信する、
という段階を備えた方法。
【請求項９】
電子メッセージが受信者へ既に送信されたことを後で証明するための方法において、
独立した当事者から電子メッセージを受信し、そしてメッセージの意図された受信者に対応するアドレスを更に受信し、
上記メッセージに対応する有効確認コードを形成し、
上記有効確認コードを記憶手段へ送信してそこに記憶し、そして
上記メッセージを受信者へ送信する、
という段階を備えた方法。
【請求項１０】
受信者に送信された電子メッセージが読み取られたことを証明する方法において、
電子メッセージ及び受信者のアドレスを受信し、
上記電子メッセージに対応するメッセージダイジェストを計算し、
上記電子メッセージを受信者のアドレスに電子的に発送し、
読み取り通知を要求し、
上記読み取り通知を受信する際に、少なくとも１つの読み取り受領書を発生し、該少なくとも１つの読み取り受領書は、上記メッセージのコピーと、対応する電子メッセージに対する第１メッセージダイジェストと、受信者からの読み取り通知に対する第２メッセージダイジェストとを含み、そして
上記メッセージが受信者により受信されたことを後で検証するために上記読み取り受領書を与える、
という段階を備えた方法。
【請求項１１】
電子メッセージのコピーとされているものの完全性を確認する方法において、
上記電子メッセージのコピーとされているものを受信し、このコピーとされているものは、それに関連したデジタル符牒及び送信経過を含み、
上記デジタル符牒を暗号解読し、
上記コピーとされているものに基づいてメッセージダイジェストを発生し、そして
上記暗号解読されたデジタル符牒と上記メッセージダイジェストとを比較して２つが一致するかどうか決定することにより上記コピーとされているものを有効性確認する、
という段階を備えた方法。
【請求項１２】
ｅ−メールメッセージの配達を文書化する方法において、
送信者からｅ−メールメッセージを受信し、
そのメッセージを少なくとも１人の指定の受信者へ転送し、
上記少なくとも１人の指定の受信者へのメッセージの転送に関連した配達情報を記録し、
上記メッセージ及び配達情報に対応するメッセージダイジェストを計算し、
上記メッセージダイジェストを送信者へ送信し、
上記メッセージを破棄し、そして
その後に、上記メッセージ、上記配達情報及び上記メッセージダイジェストを検査し、そして
その配達情報内に指示された時刻に上記メッセージが上記指定の受信者へ送信されたことを立証する第三者検証サービスを提供する、
という段階を備えた方法。
【請求項１３】
上記指定の受信者へ最初にアドレスされた出て行くｅ−メールメッセージを指定の第三者へ向け直し、そして上記指定の受信者のｅ−メールアドレスを含むよう上記メッセージを変更するように、上記送信者に関連したメッセージ搬送エージェントをプログラミングする段階を更に備え、
上記第三者は、上記転送、記録、計算及び送信段階を実行し、そして
メッセージ送信者が、特定の出て行くメッセージを、登録されるべきメッセージとして指定するようにする請求項１２に記載の方法。
【請求項１４】
電子メッセージ登録サービスを公衆へ提供する方法において、
ユーザがメッセージを入力でき、そして受信者の電子アドレスを入力することにより受信者を指定できるところのワールドワイドウェブサイトを用意し、
上記ウェブサイトを経てメッセージ及び受信者のアドレスを受信し、
上記受信者の電子アドレスにメッセージを転送し、そして
メッセージの内容と、メッセージが受信者の電子アドレスへ転送された日付及び時刻とに関してユーザへ機密文書を供給し、
上記受信者の電子アドレスに関連した配達確認を受信し、
その配達確認を上記機密文書の一部分として含ませ、そして
指定の受信者が電子メッセージを読み取りのためにいつオープンしたかに関する読み取り受領書情報を受信し、その受領書情報は、上記読み取り受領書情報を上記機密文書の一部分として含む、
という段階を備えた方法。
【請求項１５】
電子メッセージの配達及び内容を文書化するための方法において、
行先メール搬送当局（ＭＴＡ）へのメッセージの配達を行う電子メッセージプロトコル交換を記録し、
上記メッセージの少なくとも第１部分のコピー、上記プロトコル交換、上記メッセージの少なくとも第２部分に対応する認証コードを組み立て、この組み立ては、電子的受領書を形成し、そして
上記受領書を記憶手段へ送信する、
という段階を備えた方法。
【請求項１６】
メッセージが首尾良く配達されるたびに、システムが上記記録されたプロトコル交換に基づいて行先のメールサーバーへの上記メッセージの配達について検証できるか、或いはシステムがＭＴＡ通知に基づいて行先に対応する電子メールボックスへのメッセージの配達について検証できるかどうかを指示する配達レポートを組み立てて送付する段階を更に備えた請求項１５に記載の方法。
【請求項１７】
受信者から変位されたサーバーを経て送信者から受信者へメッセージを送信する方法において、
送信者から上記サーバーにおいてメッセージを受信し、
上記サーバーから受信者へ、上記メッセージ、上記サーバーのアドレス、及び上記送信者の認識を表わす指示を送信し、
上記受信者から上記サーバーにおいて、上記サーバーから受信者へのメッセージのハンドシェーク及び配達経過を受け取り、そして
上記サーバーから送信者へ、上記メッセージ、上記メッセージの暗号化されたデジタル指紋、及び上記メッセージのハンドシェーク及び配達経過を送信する、という段階を上記サーバーに備えた方法。
【請求項１８】
上記サーバーは、送信者がメッセージをサーバーにより認証しようと望むときには、サーバーにより送信者へ既に送信されている情報のコピーを送信者から受け取り、この情報は、暗号化されたデジタル指紋、メッセージ、及びメッセージのハンドシェーク及び配達経過を含み、そして
上記サーバーは、メッセージ、メッセージの暗号化されたデジタル指紋、及びメッセージのハンドシェーク及び配達経過を送信者へ送信した後は、サーバーから送信者へ送信された情報のコピーを保持しない請求項１７に記載の方法。
【請求項１９】
上記サーバーは、送信者からサーバーにより受信された情報を使用して、メッセージのデジタル指紋と、暗号化されたデジタル指紋からのデジタル指紋を形成し、そしてこれらのデジタル指紋を比較して、送信者からサーバーにより受信されたメッセージを認証する請求項１７及び１８のいずれかに記載の方法。
【請求項２０】
受信者から変位されたサーバーを経て送信者から受信者へメッセージを送信する方法において、
受信者から上記サーバーにおいてメッセージを受信し、
メッセージの概要をコード化形態で構成するハッシュを発生し、
上記ハッシュを特定の暗号コードで暗号化して、メッセージの暗号化されたデジタル指紋を発生し、そして
上記メッセージ、及びメッセージの暗号化されたデジタル指紋を送信者へ送信する、
という段階を上記サーバーにおいて含む方法。
【請求項２１】
上記メッセージへの付属物として、その付属物の概要をコード化形態で構成するハッシュを発生し、
特定の暗号コードで上記ハッシュを暗号化して、上記付属物の暗号化されたデジタル指紋を発生し、そして
上記メッセージ及びそのメッセージの暗号化されたデジタル指紋が上記サーバーから送信者へ送信されるのと同時に、上記付属物及びその付属物の暗号化されたデジタル指紋を送信者へ送信する、
という段階を上記サーバーにおいて含む請求項２０に記載の方法。
【請求項２２】
上記メッセージ及びそのメッセージの暗号化されたデジタル指紋が上記サーバーから送信者へ送信された後に、上記メッセージ及びそのメッセージの暗号化されたデジタル指紋を上記サーバーから除去し、そして
上記付属物及びその付属物の暗号化されたデジタル指紋が上記サーバーから送信者へ送信された後に、上記付属物及びその付属物の暗号化されたデジタル指紋を上記サーバーから除去する、
という段階を上記サーバーにおいて含む請求項２１に記載の方法。
【請求項２３】
送信者からサーバーへ送信された上記メッセージ及びそのメッセージの暗号化されたデジタル指紋に基づいてメッセージを認証する段階を含む請求項２０ないし２２のいずれかに記載の方法。
【請求項２４】
送信者からサーバーへ送信された上記メッセージ及びそのメッセージの暗号化されたデジタル指紋に基づいて、送信者からサーバーにより受信されたメッセージをサーバーにおいて認証する段階を含み、この認証は、送信者からサーバーにより受信されたメッセージのデジタル指紋及び暗号化されたデジタル指紋からのデジタル指紋を発生し、それらのデジタル指紋を比較し、そしてそれらのデジタル指紋が同じであるときに認証を指示することにより行われる請求項２０ないし２３のいずれかに記載の方法。
【請求項２５】
受信者から付属物を受け取り、
その付属物の暗号化されたデジタル指紋をサーバーにおいて形成し、
メッセージ及びメッセージの暗号化されたデジタル指紋の送信と同時に、付属物及び付属物の暗号化されたデジタル指紋を送信者に送信し、
メッセージ及びメッセージの付属物のコピーと、メッセージ及び付属物の暗号化されたデジタル指紋を送信者から受け取り、そして
メッセージに関連して送信者から受信したものと、付属物に関連して送信者から受信したものとを各々比較して、それら比較に基づいてメッセージ及び付属物を認証する、
という段階を上記サーバーに含む請求項２０ないし２４に記載の方法。
【請求項２６】
第１サーバーから行先アドレスの行先サーバーへの電子メッセージの配達を第１サーバーにおいて検証する方法において、
行先サーバーへルーティングするためにメッセージ送信者から電子メッセージを第１サーバーにおいて受け取り、
ＳＭＴＰプロトコル及びＥＳＭＴＰプロトコルを含むグループから選択されたプロトコルを経て電子メッセージ及び電子メッセージに関連した第１サーバーと行先サーバーとの間のトランザクションを第１サーバーから行先サーバーへ送信し、
ＳＭＴＰプロトコル及びＥＳＭＴＰプロトコルを含むグループから選択されたプロトコルを経て第１サーバーと行先サーバーとの間のトランザクションを第１サーバーに記録し、
上記プロトコルの選択された１つを経てメッセージ及び第１サーバーと行先サーバーとの間のトランザクションを第１サーバーから送信者へ送信し、
上記プロトコルの選択された１つを経てメッセージ及び第１サーバーと行先サーバーとの間のトランザクションを送信者から第１サーバーにおいて受け取り、そして
送信者から第１サーバーにより受け取られたメッセージ及び送信者から第１サーバーにより受け取られたトランザクションに基づいて第１サーバーにおいてメッセージを認証する、
という段階を備えた方法。
【請求項２７】
送信者からサーバーを経て受信者へ送信されたメッセージを認証する方法において、
メッセージの暗号化されたデジタル指紋を与え、
メッセージ及びその暗号化されたデジタル指紋を送信者へ送信し、
メッセージ及びその暗号化されたデジタル指紋を送信者から受け取り、そして
送信者からサーバーにより受け取られたメッセージ及びその暗号化されたデジタル指紋に基づいてメッセージを認証する、
という段階をサーバーに備えた方法。
【請求項２８】
上記サーバーは、送信者の識別、サーバーのアドレス、受信者の識別及びアドレスを含む付属物と、該付属物の暗号化されたデジタル指紋とを送信者から受け取り、
上記サーバーは、メッセージ、メッセージの暗号化されたデジタル指紋、付属物、及び付属物の暗号化されたデジタル指紋を送信者へ送信し、
上記サーバーは、メッセージ及び付属物と、メッセージ及び付属物の暗号化されたデジタル指紋とを受け取り、そして
上記サーバーは、全て送信者からサーバーにより受け取られるものであるメッセージ、メッセージの暗号化されたデジタル指紋、付属物、及び付属物の暗号化されたデジタル指紋に基づいてメッセージを認証する請求項２６に記載の方法。
【請求項２９】
上記サーバーは、メッセージ及び付属物のデジタル指紋と、メッセージ及び付属物の暗号化されたデジタル指紋からのデジタル指紋とを作成し、そしてメッセージに関連するデジタル指紋を比較してそれらが同一であることを確認すると共に、付属物に関するデジタル指紋を比較してそれら比較されたデジタル指紋が同一であることを確認することにより、メッセージを認証する請求項２５ないし２７に記載の方法。
【請求項３０】
受信者から変位されたサーバーを経て送信者から受信者へメッセージを送信する方法において、
メッセージと、送信者の識別、サーバーのアドレス、並びに受信者の識別及びアドレスを含む付属物とを受信者へ送信し、
メッセージと、送信者の識別、サーバーのアドレス、並びに受信者の識別及びアドレスを含む付属物とを受信者から受け取り、そして
メッセージと、送信者の識別、サーバーのアドレス、並びに受信者の識別及びアドレスを含む付属物とを送信者へ送信する、
という段階をサーバーにおいて備えた方法。
【請求項３１】
上記サーバーは、メッセージ及び付属物の暗号化されたデジタル指紋を作成し、そしてそれら暗号化されたデジタル指紋をメッセージ及び付属物と共に送信者へ送信し、そして
上記サーバーは、この情報を送信者へ送信した後は、送信者に送信された情報のコピーを保持しない請求項３０に記載の方法。
【請求項３２】
上記サーバーは、送信者がメッセージを認証することを希望した後に送信者から受け取ったものを処理し、そして
上記サーバーは、この処理に基づいてメッセージを認証する請求項３０又は３１に記載の方法。
【請求項３３】
受信者から変位されたサーバーを経て送信者から受信者へインターネットを通してメッセージを送信する方法において、
ＳＭＰＴ及びＥＳＭＰＴプロトコルを含むグループから選択されたプロトコルを経てメッセージ及び送信者の識別を受信者へ送信し、
ＳＭＰＴ及びＥＳＭＰＴプロトコルを含むグループから選択されたプロトコルを経てメッセージ及び付属物を受信者から受け取り、そして
メッセージ及び付属物を送信者へ送信する、
という段階を上記サーバーに含む方法。
【請求項３４】
メッセージ及び付属物の暗号化されたデジタル指紋をサーバーにおいて作成し、
それらの暗号化されたデジタル指紋を、メッセージ及び付属物と共にサーバーから送信者へ送信し、
サーバーがメッセージ及び付属物とそれらの暗号化されたデジタル指紋を送信者へ送信するときには、サーバーから送信者へ送信された情報をサーバーに保持せず、
メッセージ及び付属物のデジタル指紋と、暗号化されたデジタル指紋からのデジタル指紋をサーバーにおいて作成し、そして
メッセージに関連するデジタル指紋を比較すると共に、付属物に関連するデジタル指紋を比較して、メッセージを認証する、
という段階を備えた請求項３３に記載の方法。